(57)【要約】【課題】  木材製品の良さである取扱い易さはそのままで、強度不足を補い、同時に床仕上げにおける不都合を生ずることなく、経済的にも有利な床支持部材及びこれを用いた床支持構造を提供する。【解決手段】  木材からなる心材２の上下面又はいずれか一方の面に、両端部側または両端部とその間の一部３を残して挫彫り部４を設け、心材２の挫彫り部４及び少なくとも一方の側面を覆って挫彫り部４の長さに対応した長さで薄鋼板からなり断面ほぼコ字状の補強用形鋼５を取付け、心材２の両端部側の上下面又はいずれか一方の面と、補強用形鋼５のフランジ部７の上下面又はいずれか一方の面とをほほ同一平面上に位置させる。【選択図】図１
2005155026.tif 000002
【特許請求の範囲】
【請求項１】
木材からなる心材の上下面又はいずれか一方の面に、両端部側又は両端部側とその間の一部を残して挫彫り部を設け、前記心材の挫彫り部及び少なくとも一方の側面を覆って前記挫彫り部の長さに対応した長さで薄鋼板からなり断面ほぼコ字状の補強用形鋼を取付け、前記心材の両端部側の上下面又はいずれか一方の面と、前記補強用形鋼のフランジ部の上下面又はいずれか一方の面とをほぼ同一平面上に位置させたことを特徴とする床支持部材。
【請求項２】
前記ほぼコ字状の補強用形鋼に代えて、上辺の長手方向に設けたスリットにより対向するフランジ部が形成された薄鋼板からなる中空の角形鋼により補強用形鋼を構成したことを特徴とする請求項１記載の床支持部材。
【請求項３】
請求項１又は２に係る床支持部材の端部を、周辺の木製床支持部材又は床支持部材に接合したことを特徴とする床支持構造。
【発明の詳細な説明】
【技術分野】
【０００１】
本発明は、低層建築物の床支持部材及びこれを用いた床支持構造に係り、特に、木造住宅等の床に実施して有効な床支持部材及びこれを用いた床支持構造に関するものである。
【背景技術】
【０００２】
従来、木造住宅等の床の支持部材としては、在来軸組工法または枠組壁工法あるいはその他の工法によらず、一般に、木材から切り出され、所定の寸法に加工された製材が使用されている。これらの木材製品を用いた床の支持構造、支持工法については、特に在来軸組工法において、住宅製造業者ごとに多くのバリエーションがある（例えば（財）日本住宅・木材技術センター発行（旧建設省住宅局木造住宅振興室監修）「第９次木造住宅合理化認定システム梗概集」（１９９８年１０月））が、簡潔に言えば、構造耐力上重要な部分、つまり屋根、壁などの自重および雪などの積載荷重を支える部分で、また地震荷重や風荷重をも支える部分、例えば床の外壁四周部直下、部屋の界壁部直下、階段まわりなどの開口部周りには大きな寸法断面の強度の大なる木製部材を使い、その間の床の面で床上の荷重のみを支える部分には、それより小さな寸法断面の木製部材を使って床を支持する構造となっている。前者は梁、胴差しなどと、また後者は床根太と一般に呼ばれている。これらの材料の寸法形状は、本来は、個々の建築物の建築条件にそって構造計算等できめられるべきであるが、現実的には前記の参考文献にもあるように、各住宅製造業者のシステムの中で一般解として決められている。
【０００３】
また、これらの木製部材は床として必要な性能を確保するための床構面を構成するために、部材相互に緊結されなければならないが、１９９５年の兵庫県南部地震での教訓（木造部材接合部に多くの損傷が見られた）から、現在は、多くの接合金物と呼ばれる金具を介して連結されるのが一般的な技術である。
【０００４】
しかしながら、木材は強度、特に曲げ剛性が小さいため、従来から大スパン（広い間取り）に対処する際には、部材の断面性能を稼ぐために木製の床支持部材は非常に大きな寸法断面の部材を用いることが必要となり、部材のコストが高くなって経済的に不利であった。また、部材が大きくなって部材自身の重量が重くなるため、施工性が非常に悪くなり、かつ、自重によるたわみが床の品質性能を低下させることも頻繁であった。これらの問題から、事実上、木製の床支持部材を用いて大スパン、具体的には４〜５ｍを越えるスパンの床構造の実現は困難であった。
【０００５】
ところで、２０００年４月に施行された「住宅の品質確保の促進等に関する法」によって、住宅の基本構造部分として、床の構造においては、傾き、たわみ等の重大な瑕疵があれば、新築後１０年間は建築業者は瑕疵担保責任を負う義務が生じたこともあり、木材製材製品の品質確保がますます難しくなっている昨今では、木製の床支持部材の使い方についてはより慎重な見方が強まっており、大スパンヘの適用は難しい状況に至っている。
【０００６】
これらの問題を解決する方法の一つとして、構造用集成材や構造用単板積層材（ＬＶＬ）といった木製の部材（エンジニアリングウッドとも呼ばれる）が開発されてきた。これらの材料はもともと、それ自身は従来なら構造用に使えなかった原材料も使えるように工夫し加工した製品である。ここでは原材料の品質をカバーするために、薄い素材を寄せ集めて接着材を使って一体化した製品としているが、素材の品質を完全に隠すことは不可能であり、強度不足のほか、乾燥収縮という木の特性に起因する品質低下、またコスト高、流通性の悪さその他の問題を抱え、完全な解決にはほど遠いのが実情である。
【０００７】
また、別の方法として、軽量鉄骨（Ｉ形鋼）の上下フランジに木材（集成材）を接合させた部材が提案されている（参考文献：（財）日本住宅・木材技術センター発行（旧建設省住宅局木造住宅振興室監修）「第９次木造住宅合理化認定システム梗概集」（１９９８年１０月））ｐ４５５）。この部材は鋼材の高い強度を利用した部材で、曲げ剛性の問題は解決可能であるが、もともと軽量鉄骨造住宅向けに開発された部材であり、従来の木製の床支持部材との組み合わせによる床支持構造を構成するには特別な金物やボルト等を使わざるを得ず、経済的に不利であるばかりでなく、特別な認定を得た材料（工法）であるため建築業者にとっての使い勝手の悪い面も問題として残っている。
【０００８】
さらに、近年、建築材料として用いることが可能になった薄板鋼板を曲げ加工してほぼコ字状に形成し、フランジの先端部を互いに内側に折曲げてリップ部を設けたほぼＣ字状の形鋼部材を構成し、この形鋼部材内に木製材を嵌め込んだ鋼製トラスの接合部構造が提案されている（例えば、特許文献１参照）。
【特許文献１】特開２００１−３２９６５４号公報
【発明の開示】
【発明が解決しようとする課題】
【０００９】
特許文献１の鋼製トラスの接合部構造は建築物の屋根骨組を対象としたもので、床支持部材として用いることは想定されておらず、若し、これを床支持部材として用いた場合は、形鋼部材のリップと、内部に嵌め込んだ木製材の上面との間に形成される板厚段差部が、床の不陸という重大な不都合を生じることになるため、床支持部材として用いることができない。
【００１０】
本発明は、上記の課題を解決するためになされたもので、木材製品の良さである取扱い易さはそのままで、強度不足を補い、同時に床仕上げにおける不都合を生ずることなく、経済的にも有利な床支持部材及びこれを用いた床支持構造を提供することを目的としたものである。
【課題を解決するための手段】
【００１１】
本発明に係る床支持部材は、木材からなる心材の上下面又はいずれか一方の面に、両端部側又は両端部側とその間の一部を残して挫彫り部を設け、前記心材の挫彫り部及び少なくとも一方の側面を覆って前記挫彫り部の長さに対応した長さで薄鋼板からなり断面ほぼコ字状の補強用形鋼を取付け、前記心材の両端部側の上下面又はいずれか一方の面と、前記補強用形鋼のフランジ部の上下面又はいずれか一方の面とをほぼ同一平面上に位置させたものである。
【００１２】
また、上記のほぼコ字状の補強用形鋼に代えて、上辺の長手方向に設けたスリットにより対向するフランジ部が形成された薄鋼板からなる中空の角形鋼により補強用形鋼を構成した。
【００１３】
本発明に係る床支持構造は、上記の床支持部材の端部を、周辺の木製床支持部材又は床支持部材に接合したものである。
【発明の効果】
【００１４】
本発明は、床支持部材として使いやすい木製部材の特長を残したまま、高い曲げ剛性を有する鋼材を木製部材に接合して一体化し、木材の弱点である曲げ剛性を補強した合成部材としたので、強度性能の改善は言うに及ばず、コストアップや施工性の低下をきたすことなく、従来困難であった大スパンの床の床支持構造ができるようになった。
また、本発明の床支持部材によれば、長期にわたって床のたわみや変形を抑制でき、住宅の品質確保が求められるなかで格段の品質及び性能向上を確保できる効果も得られる。
【発明を実施するための最良の形態】
【００１５】
本発明に係る床支持部材は、木材からなる心材（以下、木製心材という）の上下面又はいずれか一方の面に、この木製心材の長さよりも短い長さで両端部側にはかからない範囲にあらかじめ挫彫り部を形成し、当該木製心材の上下面の挫彫り部および、少なくとも１方の側面を覆うように、木製心材の挫彫り部の長さにあわせた長さの薄鋼板製のリップ溝形鋼または溝形鋼あるいは上隙角形鋼を嵌め合わせて固定することで、長期の寸法形状の安定性および強度（曲げ剛性）を高めることができるとともに、他の木製の床支持部材との接合が簡易に行え、かつ、床下地への悪影響も生じない構造としたものである。
【００１６】
発明者らは、先ず、床支持部材に求められる要求性能ならびに使用される木材の特性を鋭意、詳細に研究した結果、木材の弱点である曲げ剛性を補強し、床支持部材としての性能を向上させるには、曲げ剛性の高い他の材料との合成部材として、曲げに対する剛性（強度）を補強してやればいいことに気づき、さらにこの補強用の材料としてはヤング係数が高く、しかも軽量で使いやすく、かつ入手が簡単でコスト的にも経済的な薄鋼板製の形鋼を用いれば目指す性能を実現することができると考えたのである。なお、この研究過程で、薄鋼板製の形鋼ではなく鋼板そのものを補強材とすることも検討したが、鋼板自体でも曲げに対する強度の改善は多少はみられるものの、目的とするレベルの実現には問題（例えば、鋼板の厚みを上げる必要があり、床支持部材の自重が過大になるため実用性が劣る）が残ることが分かったので、本発明への採用は見送った。
【００１７】
木材製材、例えばべいまつ（甲種構造材１級）の基準弾性係数が１２００ＫＮ／ｃｍ2（参考文献：「木質構造設計規準・同解説  一許容応力度・許容耐力設計法−」、（社）日本建築学会  発行、２００２年、ｐ３３５）であるのに対して、鋼板（鋼材）のヤング係数は２０，６００ＫＮ／ｃｍ2（参考文献：「新しい建築用鋼材」、鋼構造出版、１９９８年、ｐ４５）とおよそ２０倍であるから、鋼材による補剛効果をもつ部材とすることで、十分に目的が達成できると考えられた。さらに２００１年１１月に公布された国土交通省告示第１６４１号「薄板軽量形鋼造の建築物又は建築物の構造部分の構造方法に関する安全上必要な技術的基準を定める等の件」によって、本目的を実現するために最適な、扱いやすい薄鋼板製の形鋼（リップ付溝形鋼若しくは溝形鋼又は角形鋼）が建築用の材料として法的にも認められたことを受けて、本発明を提案したのである。
また、発明者らは床の支持構造すなわち床支持部材どおしの組み立て、接合などについても検討を重ね、木製の床支持部材との取り合いを複雑にすることなく、施工性、経済性を維持できる床支持部材の形状や構成を提案したのである。
【００１８】
本発明に係る床支持部材の製作にあたっては、先ず、木製心材の上下面に、この木製心材の長さより短かく、両端部側を残した範囲（以下、この残した部分を露出部という）にあらかじめ挫彫り部を形成する。この挫彫り部は後述の薄鋼板からなる補強用の形鋼の、木製心材への嵌め合わせ接合を適格に行うために設けたものである。そして、この挫彫り部の深さを、嵌合する形鋼のフランジ部の板厚に対応して形成することにより、木製心材の上下面の露出部と、これに嵌合した形鋼のフランジ部の上下面とをほぼ同一平面（以下、面一（つらいち）という）に位置させることができ、床下地や天井下地を構成する際に不陸等の不都合を生じることがない。
また、木製心材の両端部側に露出部を設けたことにより、従来の木製床支持部材と同様に取扱うことができるので、他の木製床支持部材との接合を容易かつ簡単に行うことができる。
【００１９】
なお、木製心材の側面に挫彫りを設けて補強用の形鋼のウェブ部を嵌合することも考えられるが、形鋼の取付け上、また強度補強の発現上格段の効果は得られないので、必要があれば設けてもよいが必ずしも必要とするものではない。また、本発明で実施する挫彫りの形成手段については特別な技術を必要とするものではなく、木材加工において一般に行われている方法によればよい。
【００２０】
また、ここで用いられる木製心材については特に樹種（材質）を特定するものではなく、従来から構造用に用いられている木材（まつ、ひのき、つが、すぎその他）のムク製材は勿論、その他の樹種材料を含む集成材等（単板積層材、いわゆるＬＶＬ等も含む）を用いても本発明の目的を達成する上でなんら問題はない。あえていえば、品質レベルの低い木材であっても、実用上の問題を解決することができるのが本発明の床支持部材である。
【００２１】
次に、本発明に係る床支持部材の強度（曲げ剛性）を高めるために適用される薄鋼板製のリップ溝形鋼又は溝形鋼あるいは角形鋼の材質（鋼板の強度、表面処理の種類ほか）や寸法形状（断面形状、ウェブ高さ・フランジ幅・リップ長さ・板厚ほか）は、重要なポイントではあるが、実際的には目的を実現するために特に指定する必要はなく、当該部材に望まれる強度性能を達成、満足するに必要と考えられるものを予め計算等で吟味し、選択して用いればよい。例えば（社）日本鉄鋼連盟製品規定にある「建築構造用表面処理薄板軽量形鋼」が問題なく使用できる好ましい材料の一つであるが、ここでは４００Ｍｐａ級の強度の材料が適用されており、表面処理も溶融亜鉛めっき、溶融亜鉛−５％アルミめっき、５５％アルミ−亜鉛めっき等の表面処理材料が含まれている。
【００２２】
しかしながらこれに限定される必要はなく、木製心材の形状寸法に合わせて折り曲げ加工して製造される新規の形鋼や、従来からＪＩＳ化されている一般構造用軽量形鋼（ＪＩＳ Ｇ３３５０）のような材料を使用してもよい。また、寸法形状も特に指定、限定するものではなく、前述のとおり、木製心材との嵌め合わせ接合に適切な寸法形状であることと、かつ必要な断面性能が得られる形状をコストや入手難易性、その他の利便性から選択して適用すればよい。なお、前記の日本鉄鋼連盟製品規定には、幅広い寸法形状が規定されているので、選択する際の参考資料として有用である。
【００２３】
また、これらの強度補強用の、薄鋼板製のリップ溝形鋼又は溝形鋼あるいは角形鋼と、木製心材との接合手段については多様な技術の応用が可能であるが、長期の品質安定性を鑑みると、現状では、ねじ、くぎなどを用いることが確実かつ適切である。薄鋼板と木製心材との接合には、ねじ、くぎなど以外にも例えばボルト接合や接着のような技術の適用も考えられるが、作業の簡便性に伴うコスト抑制の観点や、長期間にわたる性能確保の面からみれば、十分な代替技術とは言えない。
【００２４】
さらに重要な構成要素として、薄鋼板製のリップ溝形鋼又は溝形鋼あるいは角形鋼の長さは、前述のように、木製心材の上下面に設けた挫彫り部に嵌め合わされて接合されるので、木製心材の長さよりも短かくしておくことが必須である。このようにして、接合時に木製心材の両端部側は、必ず木部を剥き出した形状（露出部）とすることが必要である。なぜならば、このような形状にすることで、本発明の床支持部材は、両端部側が従来用いられていた木製床支持部材となんら変らない形状となり、他の木製支持部材とごく簡易に接合することができ、本発明に係る床支持部材の有効性を一段と高めることができるのである。
【００２５】
また、本発明による床支持構造は、前記の床支持部材を周辺の木製床支持部材に連結して、又は当該床支持部材どおしを相互に連結する工法としたことで、木製床支持部材だけで構成するよりも、軽量で強度の高い床を経済的に構築できることを実現したものである。
ここにおいて、本発明の床支持部材を周辺の木製床支持部材に連結する際の接合手段としては、本発明の目的に照らして、相互の木部どおしを接合金物を介さずに直接、例えば挫彫りなどして仕口をつくり、くぎ留め等で留めつける簡易な方法も可能であり、また、接合金物を介して留めつけることも可能である。もちろんくぎの代わりにねじや可能であればボルト等を使うこともできる。同様に本発明の床支持部材どおしを連結する構造となる部分においても、前述の場合とまったく同じように、当該床支持部材の木部どおしを従来技術にそって接合すれば目的を達することができるのである。
以下に本発明の実施の形態について説明する。
【００２６】
［実施の形態１］
図１は本発明の実施の形態１に係る床支持部材の斜視図、図２は図１の背面図、図３は図１のＡ−Ａ断面図、図４は図１の分解斜視図である。
図において、１は本実施の形態に係る床支持部材で、通常用いられるムク製材からなる木製心材２と、補強用の形鋼としての、薄形鋼板からなり木製心材２に嵌合して接合されるリップ溝形鋼５とからなっている。
【００２７】
木製心材２は長さＬ1、成（せい）ｈ1、幅Ｗ1の断面長方形で、その上下面には両端部側に設けた長さＬ2の露出部３ａ，３ｂ（以下、単に３と記すことがある）を残して、その間にＬ3の範囲であらかじめ深さｔ1（この深さｔ1は、リップ溝形鋼５のフランジ部７ａ，７ｂの板厚ｔ2に対応）の挫彫り部４ａ，４ｂ（以下、単に４と記すことがある）を形成したものである。
【００２８】
補強用の形鋼であるリップ溝形鋼５は、その長さＬ4が木製心材２の挫彫り部４の長さＬ3とほぼ等しく、木製心材２の成（せい）ｈ1と同じウェブ高さｈ3で、上下に幅Ｗ2（但し、Ｗ1＜Ｗ2）、板厚ｔ2のフランジ部７ａ，７ｂを有し、フランジ部７ａ，７ｂの先端部は互いに内側にほぼ直角に折曲げられてリップ部８ａ，８ｂが形成されている。
【００２９】
上記のような床支持部材１において、木製心材２にリップ溝形鋼５を取付けるには、リップ８ａ，８ｂが邪魔にならないように、リップ溝形鋼５の開口部を僅かに開き気味にして、一方の端部から木製心材２を挿入し、その挫彫り部４ａ，４ｂ上にフランジ部７ａ，７ｂを位置させる。このときリップ溝形鋼５は自身のスプリングバックの性質により元の状態に戻り、木製心材２の一方の側面と挫彫り部４ａ，４ｂを覆って、フランジ部７ａ，７ｂが挫彫り部４ａ，４ｂに嵌合する。
【００３０】
これにより、木製心材２の露出部３ａ，３ｂの上下面と、リップ溝形鋼５のフランジ部７ａ，７ｂの上下面とはほぼ面一（つらいち）になる。このことは、床支持部材１の上に貼り付けられる床下地材（場合によっては、床支持部材１の下に貼付けられる天井下地材）に、不陸等の不具合が生じないようにするための措置で、実用上きわめて重要なことである。
【００３１】
木製心材２に取付けられたリップ溝形鋼５は、上下のフランジ部７ａ，７ｂから木製心材２の上下面に向けてねじ９で固定される。この場合、リップ溝形鋼５のウェブ６面から、木製心材２の側面に向けてねじ９で固定することもできるが、上述のように、不陸等の不都合を生ずることなくフランジ部７ａ，７ｂを木製心材２に固定することが重要であり、このためには、先ず、フランジ部７ａ，７ｂを固定することが望ましい。この場合、さらにウェブ６面を木製心材２に止めると固定度が向上し、かつ本実施の形態の効果を損うこともないので、ウェブ６面の固定を行っても差支えない。
【００３２】
ここで用いられるねじ９は特に限定されるものではないが、前記の薄板軽量形鋼造に関する告示に記載されるドリリングタッピンねじ（JIS Ｂ 1059−2001）や、（社）日本鉄鋼連盟製品規定にある「スチールハウス用ドリルネジ」など品質の確認ができるものを用いることが望ましい。ねじ９の留めつけ間隔や本数については、例えば前記の（社）日本鉄鋼連盟製品規定にある「スチールハウス用ドリルネジ」であれば、ねじのせん断強度（耐力）が明らかになっているので、予め計算によって、部材構造上に必要な強度を確保できるような間隔を決めておき、そのとおりに留めつければよい。また、本実施の形態ではねじ９を１列で留めつけた例を示してあるが、これも構造的な計算により、構造上問題がなければ２列でも３列でもよい（以下の実施の形態においても同様である）。なお、リップ溝形鋼５のフランジ部７ａ，７ｂを木製心材２に固定するねじ９（後述のくぎ１０を含む）は、フランジ部７ａ，７ｂの上下面と、木製心材２の露出部３ａ，３ｂとが面一（つらいち）になるように、例えば皿ねじ等を使用するなどしてできるだけフランジ部７ａ，７ｂの上下面から突出しないようにすることが望ましい（以下の実施の形態においても同様である）。
【００３３】
また、リップ溝形鋼５は木製心材２よりも短かい長さとし、木製心材２の両端部側には木製心材２が剥き出しになった露出部３ａ，３ｂが形成されるが、この露出部３ａ，３ｂの長さＬ2は、他の部材の木部と接合できる範囲で適宜決定すればよく、特に規定しない。
本実施の形態に係る床支持部材１は、上記のように木製心材２とリップ溝形鋼５とを一体に結合した合成部材としたので、木製床支持部材単体の場合に比べて部材の曲げ剛性を大幅に高めることができる。このため、大スパンの床支持構造に適用できる部材を、重量増やコストアップを最小限に抑えて実現することができた。
【００３４】
［実施の形態２］
図５は本発明の実施の形態２に係る床支持部材の斜視図、図６は図５の背面図、図７は図５のＢ−Ｂ断面図である。なお、実施の形態１と同じ部分又は相当部分にはこれと同じ符号を付し、説明の一部を省略する。
本実施の形態は、木製心材２に構造用集成材を用い、補強用の形鋼に薄形鋼板からなる溝形鋼１１を用いたもので、その他の構成は実施の形態１の場合とほぼ同様である。
【００３５】
木製心材２となる構造用集成材は通常用いられる製品で、ムク製材の場合と同様に、その上下面に露出部３ａ，３ｂを除いてあらかじめ挫彫り部４ａ，４ｂが形成される。挫彫り部４ａ，４ｂの深さは、取付けられる補強用の溝形鋼１１のフランジ部１３ａ，１３ｂの板厚に対応して決定され、その長さ範囲も同様に溝形鋼１１の長さによって決められる。
補強用の形鋼である溝形鋼１１は、木製心材２の成（せい）と同じウェブ高さとし、木製心材２の露出部３ａ，３ｂの上下面と、溝形鋼１１のフランジ部１３ａ，１３ｂの上下面とが面一（つらいち）となるように取付ける。なお、溝形鋼１１に代えて、実施の形態１の場合と同様に、リップ溝形鋼５を用いてもよい。
【００３６】
木製心材２への溝形鋼１１の固定は、実施の形態１の場合とは異なり、ここではくぎ１０を用い、溝形鋼１１の上下のフランジ部１３ａ，１３ｂから木製心材２に向けて留めつけられる。ここで用いられるくぎ１０は特に限定するものではないが、前記の薄板軽量形鋼造に関する告示に記載したスクリューくぎの例として、（社）日本鉄鋼連盟製品規定にある「スチールハウス用スクリューくぎ」などの品質の確認ができるものを用いることが望ましい。くぎ１０の留めつけ間隔や本数については、ねじの場合と同様に対応すればよい。
本実施の形態においても、実施の形態１の場合と同様の作用、効果を得ることができる。
【００３７】
［実施の形態３］
図８は本発明の実施の形態３に係る床支持部材の斜視図、図９は図８の背面図、図１０は図８のＣ−Ｃ断面図である。なお、実施の形態２と同じ部分又は相当部分にはこれと同じ符号を付し、説明の一部を省略する。
本実施の形態は、ムクの木製心材２と、その両側に取付けた一対の補強用の形鋼である溝形鋼１１ａ，１１ｂとによって床支持部材１を構成したものである。
【００３８】
木製心材２の上下面には、両端部側に露出部３ａ，３ｂに残して、溝形鋼１１ａ，１１ｂのフランジ部１３ａと１３ｃ、１３ｂと１３ｄの板厚の合計値に対応した深さの挫彫り部４ａ，４ｂが設けられている。
また、補強用の一対の溝形鋼１１ａ，１１ｂのうち、一方の溝形鋼（例えば１１ａ）のウェブ高さは木製心材２の成（せい）とほぼ等しく、他方の溝形鋼１１ｂのウェブの高さは、溝形鋼１１ａのウェブ内のり高さとほぼ等しく形成されている。
【００３９】
本実施の形態に係る床支持部材１を組立てるには、先ず、木製心材２の一方の側面から溝形鋼１１ｂを嵌合し、そのフランジ部１３ｃ，１３ｄを挫彫り部４ａ，４ｂ上に位置させる。ついで、木製心材２の他方の側面から溝形鋼１１ａを嵌合し、そのフランジ部１３ａ，１３ｂを溝形鋼１１ｂのフランジ部１３ｃ，１３ｄの上に重ね合わせる。このとき、溝形鋼１１ａのフランジ部１３ａ，１３ｂの上面は、露出部３ａ，３ｂの上面とほぼ面一（つらいち）になる。
この状態で、溝形鋼１１ａのフランジ部１３ａ，１３ｂの上から、例えば、実施の形態１の場合と同様に複数本のねじ９により、フランジ部１３ａ，１３ｂの下に位置する溝形鋼１１ｂのフランジ部１３ｃ，１３ｄを貫通して、木製心材２の挫彫り部４ａ，４ｂの上下面に留めつけ、固定する。
【００４０】
本実施の形態に係る床材支持部材１の作用、効果は、実施の形態１，２の場合とほぼ同様であるが、特に、本実施の形態においては、木製心材２の両側に補強用の形鋼である溝形鋼１１ａ，１１ｂを取付けたので、曲げに対する強度（曲げ剛性）を格段に高めることができ、これにより大スパンの床支持構造にも実施することができる。
【００４１】
［実施の形態４］
図１１は本発明の実施の形態４に係る床支持部材の斜視図、図１２は図１１のＤ−Ｄ断面図である。なお、実施の形態３と同じ部分又は相当部分にはこれと同じ符号を付し、説明の一部を省略する。
本実施の形態は、ムクの木製心材２と、その両側に取付けた一対の補強用の形鋼である溝形鋼１１ａ，１１ｂとによって構成したものである。
【００４２】
木製心材２の上下面には、両端部側に露出部３ａ，３ｂを残して、溝形鋼１１ａ，１１ｂのフランジ部１３ａ，１３ｂの板厚に対応した深さの挫彫り部４ａ，４ｂが設けられている。
また、補強用の一対の溝形鋼１１ａ，１１ｂには、同じ形状、同じ寸法のものが用いられるが、フランジ部１３ａ，１３ｂの幅は、木製心材２の幅より狭く形成されている。
【００４３】
本実施の形態に係る床支持部材１を組立てるには、先ず、木製心材の一方の側面から一方の溝形鋼（例えば１１ａ）を嵌合し、そのフランジ部１３ａ，１３ｂを挫彫り部４ａ，４ｂ上に位置させる。このとき、フランジ部１３ａ，１３ｂの先端縁部を、木製心材２の幅方向の中央部に位置させてもよく、あるいは、若干外側に位置させてもよい。そして、例えば複数のねじ９により、フランジ部１３ａ，１３ｂを木製心材２に留めつけて固定する。
【００４４】
ついで、木製心材２の他方の側面から溝形鋼１１ｂを嵌合し、そのフランジ部１３ａ，１３ｂを挫彫り部４ａ，４ｂ上に位置させる。このとき、フランジ部１３ａ，１３ｂの先端縁部を、他方の溝形鋼１１ａのフランジ部１３ａ，１３ｂの先端縁部に当接させてもよく、あるいは若干外側に位置させて、両者の間に僅かなすき間を形成するようにしてもよい（図１１には、両者の間にすき間を設けた場合が示してある）。そして、例えば複数のねじ９により、フランジ部１３ａ，１３ｂを木製心材２に留めつけて固定する。なお、一方の溝形鋼１１ａを木製心材２に取付けて仮止めし、他方の溝形鋼１１ｂを嵌合したのち、両者をねじ９で木製心材２に固定してもよい。
【００４５】
このとき、両溝形鋼１１ａ，１１ｂのフランジ部１３ａ，１３ｂの上面は、露出部３ａ，３ｂの上面とほぼ面一（つらいち）になる。このためには、両溝形鋼１１ａ，１１ｂは、フランジ部１３ａ，１３ｂの板厚が等しいものを選ぶことが望ましい。
本実施の形態の作用、効果は、実施の形態１〜３の場合とほぼ同様である。
【００４６】
［実施の形態５］
図１３は本実施の形態５に係る床支持部材の斜視図、図１４は図１３の補強部材の斜視図、図１５は図１３のＥ−Ｅ断面図である。なお、実施の形態１と同じ部分にはこれと同じ符号を付し、説明の一部を省略する。
本実施の形態は、実施の形態１の木製心材２と同じ構造の木製心材２と、上辺にすき間１８を設けた中空の角形鋼（以下、上隙角形鋼という）１５とによって床支持部材１を構成したものである。
【００４７】
木製心材２は、実施の形態１の場合と同様に、上下面の両端部側の露出部３ａ，３ｂを残して、上隙角形鋼１５のフランジ部１９ａ，１９ｂの板厚に対応した深さの挫彫り部４ａ，４ｂを設けたものである。
また、補強用の形鋼である上隙角形鋼１５は、薄鋼板からなり、木製心材２の挫彫り部４ａ，４ｂの長さとほぼ等しい長さで、両側壁の高さが木製心材２の成（せい）ほぼ等しい中空の角形鋼の上辺の幅方向の中央部の長手方向に、スリットによりすき間１８を設け、その両側にフランジ部１９ａ，１９ｂを形成したものである。
【００４８】
上記のように構成した上隙角形鋼１５を木製心材２に取付けるには、フランジ部１９ａ，１９ｂを僅かに外方に開き気味にして、その一端から木製心材２に嵌合し、挫彫り部４ａ，４ｂ上迄送り込んで、底部１６及びフランジ部１９ａ，１９ｂを挫彫り部４ａ，４ｂ上に位置させる。このとき、フランジ部１９ａ，１９ｂは自身のスプリングバックにより元の状態に戻り、挫彫り部４ａ内に位置する。
この状態で、上隙角形鋼１５のフランジ部１９ａ，１９ｂを、例えば複数のねじ９により木製心材２に留め付けて固定すると共に、底部１６も複数のねじ９により木製心材２に固定する。このとき、フランジ部１９ａ，１９ｂの上面、底部１６の下面は、木製心材２の露出部３ａ，３ｂの上面及び下面とそれぞれ面一（つらいち）になる。
本実施の形態に係る床用支持部材の作用、効果は、実施の形態１〜４の場合とほぼ同様である。
【００４９】
［実施の形態６］
図１６は本発明の実施の形態６に係る床支持部材の木製心材の斜視図である。
実施の形態４，５では、木製心材２の上下面に挫彫り部４ａ，４ｂを設け、補強用の溝形鋼１１ａ，１１ｂの対向するフランジ部１３ａと１３ａ、１３ｂと１３ｂとの間、又は上隙角形鋼１５の対向するフランジ部１９ａ，１９ｂの間にすき間を形成した場合を示した。
【００５０】
本実施の形態は、木製心材２の少なくとも上面の幅方向の中央部に、両端部側に設けた露出部３ａ，３ｂと面一（つらいち）で、かつ両者に連続するリブ（露出部３ｃ）を残して、その両側に挫彫り部４ｃ，４ｄを設けたものである。
これにより、溝形鋼１１ａ，１１ｂのフランジ部１３ａ，１３ａ、上隙角形鋼１５のフランジ部１９ａ，１９ｂは、木製心材２の挫彫り部４ｃ，４ｄにそれぞれ係合するので、床支持部材１の上面をより平坦（面一）にすることができる。
【００５１】
［実施の形態７］
図１７は本発明の実施の形態７に係る床支持部材の斜視図及び木製心材の斜視図である。なお、実施の形態１〜６と同じ部分にはこれと同じ符号を付し、説明を省略する。
実施の形態１〜６では、木製心材２の両端部側に露出部３ａ，３ｂを設け、その間に挫彫り部４ａ，４ｂを設けて補強用の形鋼を取付けた場合を示したが、本実施の形態においては、両端部側に設けた露出部３ａ，３ｂの間に、さらに第３の露出部３ｄを設けたものである。
【００５２】
すなわち、木製心材２の両端部側に露出部３ａ，３ｂを設けると共に、その間にさらに第三の露出部３ｃを設け、これら露出部３ａ，３ｂと第三の露出部３ｄとの間に、それぞれ挫彫り部４ａ，４ｂを形成したものである。なお、図には、第三の露出部３ｄを両露出部３ａ，３ｂの中間部に設けた場合を示したが、これに限定するものではなく、両露出部３ａ，３ｂの間であればどこに設けてもよい。
【００５３】
そして、この木製心材２の挫彫り部４ａ，４ｂに実施の形態１〜５で説明した補強材であるリップ溝形鋼５、溝形鋼１１又は上隙角形鋼１５（但し、一般に、実施の形態１〜５の場合より長さが短かく、挫彫り部４ａ，４ｂの長さに対応した長さのものを使用する）のいずれかをそれぞれ嵌合し、ねじ９等で固定するようにしたものである。
本実施の形態に係る床支持部材１は、両端部側の露出部３ａ，３ｂの間にさらに第三の露出部３ｄを設けたので、この床支持部材１を床支持構造の木製床支持部材に代えて配設し、その第三の露出部３ｄに実施の形態１〜５又は本実施の形態に係る床支持部材１を接合することができ、それにより、より強固な床支持構造を得ることができる。
【００５４】
上記の各実施の形態においては、木製心材２の上下面に挫彫り部４を設けた場合を示したが、上面又は下面のいずれか一方のみに挫彫り部４を設けて、これに補強用の形鋼を取付けるようにしてもよい。
また、上記の各実施の形態において、実施の形態１，３〜７では、ムク製材からなる木製心材２を用い、実施の形態２では構造用集成材からなる木製心材２を用いた場合を示したが、これらは適宜変更することができ、またこれら以外の木製心材を用いてもよい。
【００５５】
さらに、木製心材２に補強用の形鋼を固定するにあたり、実施の形態１，３〜５及び７ではねじ９を用い、実施の形態２ではくぎ１０を用いた場合を示したが、これらはその一例を示すもので、状況に応じてねじ９又はくぎ１０のいずれを用いてもよい。
また、実施の形態３〜５では、木製心材２の両側壁と、溝形鋼１１ａ，１１ｂのウェブ内壁、及び上隙角形鋼１５の側板内壁との間にすき間を設けた場合を示したが、これらウェブ内壁や側板内壁を木製心材２の両側壁に当接してもよい。
また、上記各実施の形態を適宜組合わせて床支持部材１を構成してもよい。
【実施例】
【００５６】
次に、本発明に係る床支持部材の実施例について、図４を参照して説明する。なお、本実施例は、実施の形態１に係る床支持部材を対象としたものである。
木製心材２は、長さＬ1：４．５５ｍ、成（せい）ｈ1：２３．５ｃｍ、幅Ｗ1：４ｃｍの米ツガ材を製材したものを用い、その上下面に両側に長さＬ2：１５ｃｍの露出部３ａ，３ｂを残して、その間に長さＬ3（Ｌ1−Ｌ2×２）：４．２５ｍ、深さｔ1：１．６ｍｍの挫彫り部４ａ，４ｂを設けた。
また、リップ溝形鋼５は、板厚ｔ2：１．６ｍｍの薄鋼板を曲げ加工して形成したもので、長さＬ4：４．２０ｍ、ウェブ高さｈ3：２３．５ｃｍ、フランジ幅Ｗ2：５ｃｍのものを使用した。
【００５７】
上記のようなリップ溝形鋼５の開口部を開き気味にして一方の端部から木製心材２を挿入し、その挫彫り部４ａ，４ｂにフランジ部７ａ，７ｂを嵌合した。ついで、上下のフランジ部７ａ，７ｂからそれぞれ一列、３０ｃｍ以内の間隔で、ねじ部長さ２ｃｍ、ねじ山外径４．８ｍｍの頭部に皿部を有するドリリングタッピンねじ１５本を木製心材２に螺入して固定し、床支持部材１を構成した。
これにより、木製心材２とほぼ同じ材料（但し、挫彫り部は設けられていない）の従来の木製床支持部材に比べて約２．５倍の強度（曲げ剛性）を有し、その上木製心材２の露出部３ａ，３ｂの上下面と、リップ溝形鋼５のフランジ部７ａ，７ｂの上下面とが面一（つらいち）の床支持部材１が得られた。
なお、上記の実施例はその一例を示すもので、各部の寸法等は適宜変更しうることは云う迄もない。
【００５８】
［実施の形態８］
次に、本発明に係る床支持部材１を用いた床支持構造の一例について説明する。
図１８は本発明に係る床支持部材１（図には、実施の形態１に係る床支持部材１を示してあるが、これに限定するものではない）を、周辺の木製床支持部材２０に接合金物２５を介して接合した状態を示すものである。
床支持部材１は、木製床支持部材２０と直交し、かつその上面（露出部３及びリップ溝形鋼５のフランジ部７の上面）を、木製床支持部材２０の上面と面一になるように配設され、その端部（露出部３ａ）を木製床支持部材２０の側面に当接し、接合金物２５により、ねじ、くぎ等２６によって固定し、両者を一体に接合する。ここで、接合金物２５は、アングル形状の金物や腰掛け形状の金物等を用いることができる。
【００５９】
このように構成した床支持構造の上面に、床の下地として構造用合板又はこれに類する下地材２４を貼り付ける。これにより、床支持部材１の端部には露出部３ａ，３ｂが設けられているため、木製支持部材２０との接合がきわめて容易である。また、床支持部材１は補強用の形鋼で補強されているので、長期にわたってたわみや曲がりを生じることがなく、構造的に安定し、かつ、木製床支持部材２０と床支持部材１の上面が面一（つらいち）になっているので、床の不陸等の問題が発生することのない床支持構造を得ることができる。
【００６０】
図１９は床支持構造の別の例を示すものである。本例は、木製床支持部材２０に、挫彫りにより床支持部材１の端部の露出部３ａの形状に対応した仕口部２１を設け、この仕口部２１に床支持部材１の露出部３ａを、その上面を木製支持部材２０の上面と面一（つらいち）になるようにして嵌入し、ねじ、くぎ等２６を斜め打ちして留め付け、接合したものである。
【００６１】
図２０は床支持構造のさらに別の例を示すもので、本例においては、木製床支持部材２０に代えて実施の形態７に係る床支持部材１を用い、その第三の露出部３ｄの側面に接合金物２５を介して床支持部材１の端部を嵌合したものである。本例によれば、床支持構造の強度（剛性）をさらに増すことができる。
【産業上の利用可能性】
【００６２】
上記の説明では、本発明に係る床支持部材を床支持構造に用いた場合を示したが、さらに、天井下地の構成にも実施することができる。
【図面の簡単な説明】
【００６３】
【図１】本発明の実施の形態１に係る床支持部材の斜視図である。
【図２】図１の背面図である。
【図３】図１のＡ−Ａ断面図である。
【図４】図１の分解斜視図である。
【図５】本発明の実施の形態２に係る床支持部材の斜視図である。
【図６】図５の背面図である。
【図７】図５のＢ−Ｂ断面図である。
【図８】本発明の実施の形態３に係る床支持部材の斜視図である。
【図９】図８の背面図である。
【図１０】図８のＣ−Ｃ断面図である。
【図１１】本発明の実施の形態４に係る床支持部材の斜視図である。
【図１２】図１１のＤ−Ｄ断面図である。
【図１３】本発明の実施の形態５に係る床支持部材の斜視図である。
【図１４】図１３の補強用の形鋼である上隙角形鋼の斜視図である。
【図１５】図１３のＥ−Ｅ断面図である。
【図１６】本発明の実施の形態６に係る床支持部材の木製心材の斜視図である。
【図１７】本発明の実施の形態７に係る床支持部材及びその木製心材の斜視図である。
【図１８】本発明の実施の形態８に係る床支持構造の一例の説明図である。
【図１９】床支持構造の他の例の説明図である。
【図２０】床支持構造のさらに他の例の説明図である。
【符号の説明】
【００６４】
１  床支持部材、２  木製心材、３ａ〜３ｄ  露出部、４ａ〜４ｄ  挫彫り部、５  リップ溝形鋼、７ａ，７ｂ，１３ａ，１３ｂ，１９ａ，１９ｂ  フランジ部、９  ねじ、１０  くぎ、１１  溝形鋼、１５  上隙角形鋼、２０  木製支持部材、２５  接合金具。
【図１】
2005155026.tif 000003
【図２】
2005155026.tif 000004
【図３】
2005155026.tif 000005
【図４】
2005155026.tif 000006
【図５】
2005155026.tif 000007
【図６】
2005155026.tif 000008
【図７】
2005155026.tif 000009
【図８】
2005155026.tif 000010
【図９】
2005155026.tif 000011
【図１０】
2005155026.tif 000012
【図１１】
2005155026.tif 000013
【図１２】
2005155026.tif 000014
【図１３】
2005155026.tif 000015
【図１４】
2005155026.tif 000016
【図１５】
2005155026.tif 000017
【図１６】
2005155026.tif 000018
【図１７】
2005155026.tif 000019
【図１８】
2005155026.tif 000020
【図１９】
2005155026.tif 000021
【図２０】
2005155026.tif 000022